(57)【要約】【課題】伝送路に異常が発生しても、デジタル保護リレーの通信不能の範囲を最小限に抑える。【解決手段】保護対象となる主回路系統の電気量を監視制御する中央監視装置１３と、中央監視装置１３に接続されたＨＵＢ１４と、ＨＵＢ１４に接続される複数のデジタル保護リレー１ａ、１ｂ、１ｎとを具備した通信機能付きデジタル保護リレー装置であって、複数のデジタル保護リレー１ａ、１ｂ、１ｎの通信回路１１ａ、１２ａ、１１ｂ、１２ｂ、１１ｎ、１２ｎを伝送路１５でループ型に接続したことを特徴とする。【選択図】図２
2010011632.tif 000002
【特許請求の範囲】
【請求項１】
保護対象となる主回路系統の電気量を監視制御する中央監視装置と、
前記中央監視装置に接続されたＨＵＢと、
前記ＨＵＢに接続される複数のデジタル保護リレーとを具備した通信機能付きデジタル保護リレー装置であって、
前記複数のデジタル保護リレーの通信回路をループ型に接続したことを特徴とする通信機能付きデジタル保護リレー装置。
【請求項２】
保護対象となる主回路系統の電気量を監視制御する中央監視装置と、
前記中央監視装置に接続されたＨＵＢと、
前記ＨＵＢに接続される複数のデジタル保護リレーとを具備した通信機能付きデジタル保護リレー装置であって、
前記デジタル保護リレーにそれぞれ前記中央監視装置との通信を行う通信回路を設けるとともに、
前記デジタル保護リレー間の通信回路を第２の伝送路で直列接続し、
始端の通信回路を第１の伝送路で前記ＨＵＢと接続し、
終端の通信回路を第ｎの伝送路で前記ＨＵＢと接続したことを特徴とする通信機能付きデジタル保護リレー装置。
【請求項３】
前記第１の伝送路、前記第２の伝送路、前記第ｎの伝送路に、ＩＥＥＥ規格に準じたケーブルを用い、リンクテストパルスで健全性を確認することを特徴とする請求項２に記載の通信機能付きデジタル保護リレー装置。
【請求項４】
前記第１の伝送路、前記第２の伝送路、前記前記第ｎの伝送路に、ＩＥＥＥ規格に準じたケーブルを用い、ＳＤ信号で健全性を確認することを特徴とする請求項２に記載の通信機能付きデジタル保護リレー装置。
【発明の詳細な説明】
【技術分野】
【０００１】
本発明は、中央監視装置と通信を行う通信回路を備えた通信機能付きデジタル保護リレー装置に関する。
【背景技術】
【０００２】
通信手段としてイーサネット（登録商標）技術を用いたデジタル保護リレーの通信において、伝送路は、中央監視装置に複数のデジタル保護リレーを一括して接続するバス型や、集中結線装置（ＨＵＢ）を介して複数のデジタル保護リレーを接続するスター型などがある（例えば、特許文献１参照。）。
【特許文献１】特開２００７−２０３２９号公報  （第４ページ、図１）
【発明の開示】
【発明が解決しようとする課題】
【０００３】
上記の従来の通信機能付きデジタル保護リレー装置においては、次のような問題がある。伝送路に断線などの異常が発生した場合、中央監視装置側からみて異常個所以降のデジタル保護リレーとの通信が途絶えていた。このため、健全な伝送路を有している個所においても、異常個所以降の伝送路であれば通信を行うことができなかった。
【０００４】
本発明は上記問題を解決するためになされたもので、伝送路に異常が発生しても、通信できない範囲を最小限に抑えることの可能な通信機能付きデジタル保護リレー装置を提供することを目的とする。
【課題を解決するための手段】
【０００５】
上記目的を達成するために、本発明の通信機能付きデジタル保護リレー装置は、保護対象となる主回路系統の電気量を監視制御する中央監視装置と、前記中央監視装置に接続されたＨＵＢと、前記ＨＵＢに接続される複数のデジタル保護リレーとを具備した通信機能付きデジタル保護リレー装置であって、前記複数のデジタル保護リレーの通信回路をループ型に接続したことを特徴とする。
【発明の効果】
【０００６】
本発明によれば、デジタル保護リレーに第１の通信回路と第２の通信回路を設け、これらの通信回路をループ型の伝送路で接続しているので、一方の伝送路が異常になっても他方の伝送路に切替えて通信することができ、通信の信頼性を向上させることができる。
【発明を実施するための最良の形態】
【０００７】
以下、図面を参照して本発明の実施例を説明する。
【実施例】
【０００８】
本発明の実施例に係る通信機能付きデジタル保護リレー装置を図１、図２を参照して説明する。図１は、本発明の実施例に係る通信機能付きデジタル保護リレーの回路構成を示す図、図２は、本発明の実施例に係る通信機能付きデジタル保護リレー装置を説明する図である。
【０００９】
図１に示すように、デジタル保護リレー１には、スイッチギヤなどの保護対象となる主回路の電流を検出するアナログ検出回路２、検出された電流をアナログ値からデジタル値に変換するＡ／Ｄ変換回路３、デジタル値に変換された電流値を監視し、スイッチギヤ主回路を過電流などから保護する保護動作を実行する中央処理装置４、保護動作によりスイッチギヤ主回路に接続された遮断器を開閉させる出力接点５が設けられている。
【００１０】
中央処理装置４には、計測された電流値を記録保存、呼び出しなどをする記憶装置６、その電流値などを表示する表示器７、出力接点５を手動で動作させる操作スイッチ８が接続されている。
【００１１】
また、中央処理装置４には、伝送路の異常などを監視する通信監視回路９と、後述する通信回路を切替えるスイッチングＨＵＢ回路１０とが接続されている。通信監視回路９とスイッチングＨＵＢ回路１０とは相互接続され、互いの回路９、１０には通信を行う第１の通信回路１１と第２の通信回路１２とが接続されている。
【００１２】
このようなスイッチギヤの電気量を検出するデジタル保護リレー１の複数は、図２に示すように、中央監視装置１３でそれぞれ監視制御される。中央監視装置１３には、ＨＵＢ１４が接続され、ＨＵＢ１４からはイーサネット（登録商標）ケーブルを用いた伝送路１５を介して、第１のデジタル保護リレー１ａ、第２のデジタル保護リレー１ｂ、第ｎのデジタル保護リレー１ｎが接続されている。
【００１３】
デジタル保護リレー１ａ、１ｂ、１ｎには、それぞれ第１の通信回路１１ａ、１１ｂ、１１ｎと第２の通信回路１２ａ、１２ｂ、１２ｎが設けられている。そして、ＨＵＢ１４と第１のデジタル保護リレー１ａの第１の通信回路１１ａが第１の伝送路１５ａで接続され、第１のデジタル保護リレー１ａの第２の通信回路１２ａと第２のデジタル保護リレー１ｂの第１の通信回路１１ｂが第２の伝送路１５ｂで接続され、第２のデジタル保護リレー１ｂの第２の通信回路１２ｂと第ｎのデジタル保護リレー１ｎの第１の通信回路１１ｎが第３の伝送路１５ｃで接続され、第ｎのデジタル保護リレー１ｎの第２の通信回路１２ｎとＨＵＢ１４が第４の伝送路１５ｎで接続されている。
【００１４】
即ち、ＨＵＢ１４には、それぞれの通信回路１１ａ、１２ａ、１１ｂ、１２ｂ、１１ｎ、１２ｎがループ型に接続されている。互いのデジタル保護リレー１ａ、１ｂ、１ｎの通信回路１２ａ、１１ｂ、１２ｂ、１１ｎ間が伝送路１５ｂ、１５ｃで直列接続され、始端の通信回路１１ａが一方となる伝送路１５ａでＨＵＢ１４と接続され、終端の通信回路１２ｎが他方となる伝送路１５ｎでＨＵＢ１４と接続されることになる。
【００１５】
伝送路１５は、ＩＥＥＥ規格に準拠した１０ＢＡＳＥ−Ｔ、１０ＢＡＳＥ−ＦＬ、１００ＢＡＳＥ−ＴＸ、１００ＢＡＳＥ−ＦＸなどに対応する。
【００１６】
次に、動作について説明する。通常、ループ型の末端の第ｎのデジタル保護リレー１ｎの第２の通信回路１２ｎが無効になっている。即ち、第４の伝送路１５ｎでは、通信が行われていない。そこで例えば第２の伝送路１５ｂがＡ点で断線したとすると、第ｎのデジタル保護リレー１ｎの通信監視回路９は第１の通信回路１１ｎの通信が不能になったことを検出し、無効としていた第２の通信回路１２ｎをスイッチングＨＵＢ回路１０で有効に切替える。
【００１７】
これにより、ＨＵＢ１４から第１のデジタル保護リレー１ａ→第２のデジタル保護リレー１ｂ→第ｎのデジタル保護リレー１ｎの方向で通信が行われていたものを、ＨＵＢ１４から第１のデジタル保護リレー１ａ、およびＨＵＢ１４から第ｎのデジタル保護リレー１ｎ→第２のデジタル保護リレー１ｂの方向で通信を行う。なお、断線が起きた間の第１のデジタル保護リレー１ａの第２の通信回路１２ａと第２のデジタル保護リレー１ｂの第１の通信回路１１ｂは無効とされ、保守点検時などに修復される。
【００１８】
伝送路１５の異常は、１０ＢＡＳＥ−Ｔ、１００ＢＡＳＥ−ＴＸではリンクテストパルス検出の有無で行う。リンクテストパルスは通信信号よりも高い電圧で送受信するので、閾値を通信信号超過でリンクテストパルス電圧未満に設定し、所定の期間中に数回連続して検出できなかったときに、中央監視装置１３などで伝送路１５の異常と判断する。
【００１９】
光ファイバーケーブルの１０ＢＡＳＥ−ＦＬ、１００ＢＡＳＥ−ＦＸではＳＤ信号を用いて異常を検出する。ＳＤ信号は、検出時と非検出時とで電圧値が相違するので、所定の期間中に非検出時の電圧を取得したときに、中央監視装置１３などで異常と判断する。
【００２０】
上記実施例の通信機能付きデジタル保護リレー装置によれば、デジタル保護リレー１に第１の通信回路１１と第２の通信回路１２を設け、これらの通信回路１１、１２をループ型の伝送路１５ａ、１５ｎでＨＵＢ１４に接続しているので、一方の伝送路１５ａが異常になっても他方の伝送路１５ｎに切替えて通信することができ、通信の信頼性を向上させることができる。
【図面の簡単な説明】
【００２１】
【図１】図１は、本発明の実施例に係る通信機能付きデジタル保護リレーの回路構成を示す図。
【図２】図２は、本発明の実施例に係る通信機能付きデジタル保護リレー装置を説明する図。
【符号の説明】
【００２２】
１、１ａ、１ｂ、１ｎ  デジタル保護リレー
２  アナログ検出回路
３  Ａ／Ｄ変換回路
４  中央処理装置
５  出力接点
６  記憶装置
７  表示器
８  操作スイッチ
９  通信監視回路
１０  スイッチングＨＵＢ回路
１１、１１ａ、１１ｂ、１１ｎ  第１の通信回路
１２、１２ａ、１２ｂ、１２ｎ  第２の通信回路
１３  中央監視装置
１４  ＨＵＢ
１５、１５ａ、１５ｂ、１５ｃ、１５ｎ  伝送路
【図１】
2010011632.tif 000003
【図２】
2010011632.tif 000004